(57)【要約】　　　（修正有）【課題】中空筒体が電気メッキ溶液にて電気メッキされる時、中空筒体にある開口と穿孔により、電気メッキ溶液が中空筒体内で対流し、中空筒体の内、外部に対して完全な電気メッキを行うことができる端子を提供する。【解決手段】回路板に配置される端子であって、外部においての電池の電極との接触に使われる端子であり、ベース１１を有し、当該ベースにより一端に開口１２が形成される中空筒体１と、中空筒体内に配置される接触部２と、中空筒体及び接触部の間に設置される弾性素子３とからなり、当該中空筒体の周縁に、且つベースの近くにある位置には、当該中空筒体を貫通する穿孔１３が設けられる。【選択図】図２
0003099982.tif 000002
【実用新案登録請求の範囲】
【請求項１】
回路板に配置される当該端子を、外部に位置する電池の電極との接触に供する端子構成改良であって、
一端にベースが設けられ、これにより、一端に開口が形成され、また、当該開口が少しずつ縮小する形状である中空筒体と、
上記中空筒体内に配置され、一端にストッパ部が環設され、当該ストッパ部により、中空筒体の開口とがストッパを形成し、また、当該ストッパ部の一端面に凹槽が形成される接触部と、
上記中空筒体と接触部との間に設置され、一端が、中空筒体の一端にあるベースに当接し、もう一端が、ストッパ部の凹槽に当接する弾性素子と、を有し、
当該中空筒体の周縁に、且つベースの近くにある位置には、当該中空筒体を貫通する穿孔が設けられ、当該中空筒体が電気メッキ液において、電気メッキされる時、当該中空筒体にある開口と穿孔とで、中空筒体内において電気メッキ溶液が対流することにより、中空筒体の内部と外部とに対して、完全に電気メッキするように構成されることを特徴とする端子の構成改良。
【考案の詳細な説明】
【０００１】
【考案の属する技術分野】
本考案は、端子の構成改良に関し、特に、当該中空筒体が電気メッキ溶液において、電気メッキされる時、当該中空筒体にある開口と穿孔とで、中空筒体内において電気メッキ溶液が対流することにより、中空筒体の内部と外部とに対して、完全に電気メッキする者に関する。
【０００２】
【従来の技術】
一般、従来の端子は、スリーブと接触部とから構成され、当該スリーブと接触部との間には、スプリングが設置されて、当該スリーブの両端に其々閉鎖面と開口とが設けられ、当該端子は、当該閉鎖面が回路板に半田されることにより、外部に位置する電池の電極と接触することができる。
【０００３】
しかしながら、上記の端子は、回路板に半田されて、外部に位置する電池の電極との接触に使用されることができても、当該端子を組み合わせする前に、電気メッキが必要とし、また、当該電気メッキ方法は、其々に当該素子を、電気メッキ溶液を入れ込んだ電気メッキ浴にて電気メッキすることであるが、当該スリーブには、一端に開口で、もう一端に閉鎖面であるから、電気メッキ工程において、当該スリーブには、内部と外部と圧力が異なり、電気メッキ溶液が完全にスリーブの内部に入れなくなり、電気メッキ溶液においてスリーブの内部と外部に対流が不完全であり、従って、当該スリーブの内部全面に完全に電気メッキすることができなく、スリーブの内部には、一部が電気メッキされて、一部が電気メッキされていない状態であり、これにより、当該端子は、電気メッキが不完全であるため、使用する時の電気効果が悪くなり、上記の従来の端子構造は、実用化には、不足がある。
【０００４】
【考案が解決しようとする課題】
本考案の主な目的は、当該中空筒体が電気メッキ溶液にて電気メッキされる時、当該中空筒体にある開口と穿孔とにより、電気メッキ溶液が中空筒体内に対流になり、中空筒体の内、外部に対して、完全な電気メッキを行う。
【０００５】
【課題を解決するための手段】
上記の目的を達成するには、本考案の端子構成改良は、回路板に配置される当該端子を、外部に位置する電池の電極との接触に供する端子構成改良であって、
一端にベースが設けられ、これにより、一端に開口が形成され、また、当該開口が少しずつ縮小する形状である中空筒体と、
上記中空筒体内に配置され、一端にストッパ部が環設され、当該ストッパ部により、中空筒体の開口とがストッパを形成し、また、当該ストッパ部の一端面に凹槽が形成される接触部と、
上記中空筒体と接触部との間に設置され、一端が、中空筒体の一端にあるベースに当接し、もう一端が、ストッパ部の凹槽に当接する弾性素子と、を有し、
当該中空筒体の周縁に、且つベースの近くにある位置には、当該中空筒体を貫通する穿孔が設けられ、当該中空筒体が電気メッキ液において、電気メッキされる時、当該中空筒体にある開口と穿孔とで、中空筒体内において電気メッキ溶液が対流することにより、中空筒体の内部と外部とに対して、完全に電気メッキするように構成されることを特徴とする。
【０００６】
【考案の実施の形態】
図１、２、３は、其々に、本考案の立体外観概念図で、本考案の立体分解概念図で、本考案の断面状態概念図である。図のように、本考案は、端子の構成改良であり、回路板に配置される当該端子を、外部に位置する電池の電極（図に未表示）との接触に供する端子構成改良であって、
一端にベース１１が設けられ、これにより、一端に開口１２が形成され、また、当該開口１２が少しずつ縮小する形状で、周縁に且つベース１１の近くにある位置には、貫通する穿孔１３が設けられる中空筒体１と、
上記中空筒体１内に配置され、一端にストッパ部２１が環設され、これにより、一端の一部が当該中空筒体１の開口１２から露出され、当該ストッパ部２１と、中空筒体１の一端にある少しずつ縮小する開口１２とがストッパを形成し、また、当該ストッパ部２１の一端面には凹槽２２が形成される接触部２と、
上記中空筒体１と接触部２との間に設置され、一端が、中空筒体１の一端にあるベース１１に当接し、もう一端が、ストッパ部２１の凹槽２２に当接して、これにより、当該接触部２が、中空筒体１の一端において、往復に伸縮自在の状態になる弾性素子３と、を有し、
上記のように構成される新しい端子の構成改良は、当該中空筒体１が電気メッキ溶液にて電気メッキされる時、当該中空筒体１にある開口１２と穿孔１３とにより、電気メッキ溶液が中空筒体１内で対流し、中空筒体１の内、外部に対して、完全な電気メッキを行う。
【０００７】
図４は本考案の電気メッキ状態の断面概念図である。図のように、本考案の端子を組み合わせする前に、其々に各素子に対して電気メッキをするのが必要であり、当該中空筒体１を電気メッキする時、当該中空筒体１を、電気メッキ溶液４１を入れ込んだ電気メッキ浴４に入り、この場合、当該穿孔１３が当該中空筒体１を貫通するので、当該中空筒体１の一端にある開口１２と、穿孔１３とが、連絡状態になり、当該中空筒体１内部の圧力と外部の圧力が同一（即ち、電気メッキ浴内の圧力）であり、中空筒体１を、電気メッキ溶液にて電気メッキする時、当該中空筒体１の開口１２と穿孔１３との連絡状態により、電気メッキ溶液４１が、当該中空筒体１の開口１２と穿孔１３との間で対流し、中空筒体１の内、外部に対して、完全な電気メッキを行い、当該中空筒体１の内、外部面に、電気メッキが不完全である現象を解消できる。
【０００８】
以上の詳しい説明から、本技術を良く分かる熟練者は、本考案が明確に前記目的を達成できることが分かり、実用新案に関する法に従って、本願を申し込む。
【図面の簡単な説明】
【図１】本考案の立体外観概念図
【図２】本考案の立体分解概念図
【図３】本考案の断面状態概念図
【図４】本考案の電気メッキ状態断面概念図
【符号の説明】
１　　中空筒体
１１　　ベース
１２　　開口
１３　　穿孔
２　　接触部
２１　　ストッパ部
２２　　凹槽
３　　　弾性素子
４　　　電気メッキ浴
４１　　　電気メッキ溶液
【図１】
0003099982.tif 000003
【図２】
0003099982.tif 000004
【図３】
0003099982.tif 000005
【図４】
0003099982.tif 000006
【手続補正書】
【提出日】平成15年10月1日(2003.10.1)
【手続補正２】
【補正対象書類名】明細書
【補正対象項目名】実用新案登録請求の範囲
【補正方法】変更
【補正の内容】
【実用新案登録請求の範囲】
【請求項１】
回路板に配置される当該端子を、外部に位置する電池の電極との接触に供する端子であって、
一端にベースが設けられ、これにより、一端に開口が形成され、また、当該開口が少しずつ縮小する形状である中空筒体と、
上記中空筒体内に配置され、一端にストッパ部が環設され、当該ストッパ部により、中空筒体の開口とがストッパを形成し、また、当該ストッパ部の一端面に凹槽が形成される接触部と、
上記中空筒体と接触部との間に設置され、一端が、中空筒体の一端にあるベースに当接し、もう一端が、ストッパ部の凹槽に当接する弾性素子と、を有し、当該中空筒体の周縁に、且つベースの近くにある位置には、当該中空筒体を貫通する穿孔が設けられ、当該中空筒体が電気メッキ液において、電気メッキされる時、当該中空筒体にある開口と穿孔とで、中空筒体内において電気メッキ溶液が対流することにより、中空筒体の内部と外部とに対して、完全に電気メッキすることを特徴とする端子。
【手続補正３】
【補正対象書類名】明細書
【補正対象項目名】０００１
【補正方法】変更
【補正の内容】
【０００１】
【考案の属する技術分野】
本考案は、端子に関し、特に、当該中空筒体が電気メッキ溶液において、電気メッキされる時、当該中空筒体にある開口と穿孔とで、中空筒体内において電気メッキ溶液が対流することにより、中空筒体の内部と外部とに対して、完全に電気メッキするものに関する。


【手続補正４】
【補正対象書類名】明細書
【補正対象項目名】０００３
【補正方法】変更
【補正の内容】
【０００３】
しかしながら、上記の端子は、回路板に半田されて、外部に位置する電池の電極との接触に使用されることができても、当該端子を組み合わせする前に、電気メッキが必要とし、また、当該電気メッキ方法は、其々に当該素子を、電気メッキ溶液を入れ込んだ電気メッキ浴にて電気メッキすることであるが、当該スリーブには、一端に開口で、もう一端に閉鎖面であるから、電気メッキ工程において、当該スリーブには、内部と外部と圧力が異なり、電気メッキ溶液が完全にスリーブの内部に入れなくなり、電気メッキ溶液においてスリーブの内部と外部に対流が不完全であり、従って、当該スリーブの内部全面に完全に電気メッキすることができなく、スリーブの内部には、一部が電気メッキされて、一部が電気メッキされていない状態であり、これにより、当該端子は、電気メッキが不完全であるため、使用する時の電気効果が悪くなり、上記の従来の端子は、実用化には、不足がある。


【手続補正５】
【補正対象書類名】明細書
【補正対象項目名】０００４
【補正方法】変更
【補正の内容】
【０００４】
【考案が解決しようとする課題】
本考案の主な目的は、当該中空筒体が電気メッキ溶液にて電気メッキされる時、当該中空筒体にある開口と穿孔とにより、電気メッキ溶液が中空筒体内に対流になり、中空筒体の内、外部に対して、完全な電気メッキを行うことができる端子を提供する。
【手続補正６】
【補正対象書類名】明細書
【補正対象項目名】０００５
【補正方法】変更
【補正の内容】
【０００５】
【課題を解決するための手段】
上記の目的を達成するには、本考案の端子は、回路板に配置される当該端子を、外部に位置する電池の電極との接触に供する端子であって、
一端にベースが設けられ、これにより、一端に開口が形成され、また、当該開口が少しずつ縮小する形状である中空筒体と、
上記中空筒体内に配置され、一端にストッパ部が環設され、当該ストッパ部により、中空筒体の開口とがストッパを形成し、また、当該ストッパ部の一端面に凹槽が形成される接触部と、上記中空筒体と接触部との間に設置され、一端が、中空筒体の一端にあるベースに当接し、もう一端が、ストッパ部の凹槽に当接する弾性素子と、を有し、当該中空筒体の周縁に、且つベースの近くにある位置には、当該中空筒体を貫通する穿孔が設けられ、当該中空筒体が電気メッキ液において、電気メッキされる時、当該中空筒体にある開口と穿孔とで、中空筒体内において電気メッキ溶液が対流することにより、中空筒体の内部と外部とに対して、完全に電気メッキすることを特徴とする。


【手続補正７】
【補正対象書類名】明細書
【補正対象項目名】０００６
【補正方法】変更
【補正の内容】
【０００６】
【考案の実施の形態】
図１、２、３は、其々に、本考案の立体外観概念図で、本考案の立体分解概念図で、本考案の断面状態概念図である。図のように、本考案は、端子であり、回路板に配置される当該端子を、外部に位置する電池の電極（図に未表示）との接触に供する端子であって、一端にベース１１が設けられ、これにより、一端に開口１２が形成され、また、当該開口１２が少しずつ縮小する形状で、周縁に且つベース１１の近くにある位置には、貫通する穿孔１３が設けられる中空筒体１と、上記中空筒体１内に配置され、一端にストッパ部２１が環設され、これにより、一端の一部が当該中空筒体１の開口１２から露出され、当該ストッパ部２１と、中空筒体１の一端にある少しずつ縮小する開口１２とがストッパを形成し、また、当該ストッパ部２１の一端面には凹槽２２が形成される接触部２と、上記中空筒体１と接触部２との間に設置され、一端が、中空筒体１の一端にあるベース１１に当接し、もう一端が、ストッパ部２１の凹槽２２に当接して、これにより、当該接触部２が、中空筒体１の一端において、往復に伸縮自在の状態になる弾性素子３と、を有し、上記のように新しい端子は、当該中空筒体１が電気メッキ溶液にて電気メッキされる時、当該中空筒体１にある開口１２と穿孔１３とにより、電気メッキ溶液が中空筒体１内で対流し、中空筒体１の内、外部に対して、完全な電気メッキを行う。